(57)【要約】【課題】鳥の営巣に起因する地絡事故を確実に防ぐ絶縁構造を形成し、その絶縁構造の形成のための鉄塔上作業を大変に容易に行うことができ、絶縁構造の改修にも簡単な作業で取替えが可能とする、ジャンパー線を備える架空電線路のジャンパー線交換接続工法を提供する。【解決手段】径間側電線２０Ａ、Ｂとジャンパー線２０ｚ（２０ｊ）とは一線状の構成となるように架線された架空電線路１００のジャンパー線交換接続工法において、供給電力の停止後、支持物１０の両方の径間側から続くジャンパー線２０ｚの接続端部ｊ１、ｊ２を残してジャンパー線２０ｊを切断除去するステップと、接続端部ｊ１、ｊ２の両端に第１の接続端子部材５１、５２をそれぞれ取り付けるステップと、絶縁電線２０ｚの両端に第２の接続端子部材６１、６２を具備するジャンパー線ユニットの第２の接続端子部材６１、６１を第１の接続端子部材５１、５２にそれぞれ取り付けるステップとを含む。【選択図】      図１
2010063357.tif 000002
【特許請求の範囲】
【請求項１】
電線を架線するための支持物と、
耐張用の引留クランプおよび碍子装置と、それらを介して、前記支持物間に張架される径間側電線と、
前記径間側電線の端部に接続され、前記引留クランプによってその両端部が把持されて、前記支持物の側部に吊架されるよう形成されるジャンパー線と、を備え、
前記径間側電線と前記ジャンパー線とは一線状の構成となるように架線された架空電線路のジャンパー線交換接続工法において、
供給電力の停止後、前記支持物の両方の径間側から続く前記ジャンパー線の接続端部を残して前記ジャンパー線を切断除去するステップと、
前記接続端部の両端に第１の接続端子部材をそれぞれ取り付けるステップと、
絶縁電線の両端に第２の接続端子部材を具備するジャンパー線ユニットの前記第２の接続端子部材を前記第１の接続端子部材にそれぞれ取り付けるステップとを含む、ことを特徴とする架空電線路のジャンパー線交換接続工法。
【請求項２】
請求項１に記載の架空電線路のジャンパー線交換接続工法において、
前記径間側電線とジャンパー線との接続部は、開閉自在型の接続端子部材から構成される、ことを特徴とする架空電線路のジャンパー線交換接続工法。
【請求項３】
請求項２に記載の架空電線路のジャンパー線交換接続工法において、
前記接続端子部材は、電線圧縮接続部と接続用電接面部とが一体的に構成された接続端子を備えて構成される、ことを特徴とする架空電線路のジャンパー線交換接続工法。
【請求項４】
請求項１に記載の架空電線路のジャンパー線交換接続工法において、
前記ジャンパー線における前記絶縁電線は、ポリエチレン絶縁電線(ＯＥ)、架橋ポリエチレン絶縁電線(ＯＣ)、外部が絶縁被覆層に覆われたＡＣＳＲ電線、のいずれかが用いられる、ことを特徴とする架空電線路のジャンパー線交換接続工法。
【発明の詳細な説明】
【技術分野】
【０００１】
本発明は、電線を鉄塔(支持物)間に張架して、碍子装置や引留クランプなどを介して鉄塔(支持物)に引き留めるための架空電線路にかかるものであり、より詳細には、電線を架設するための鉄塔やモノポールなどの支持物／碍子装置／付属金物などの設備において、鳥の営巣に起因して生じる地絡事故を防止するのに有効な架空電線路に関するものである
【背景技術】
【０００２】
図４は、従来の架空電線路の一例を示す鉄塔周囲の構成図である。この図４の架空電線路１００’においては、電線２０を張架して支持するための耐張用の鉄塔１０が立設されている。この鉄塔１０の腕金１０ａの左右には、耐張用の碍子装置（４０ａ(図４右側)と４０ｂ(図４左側)）と引留クランプ（３０ａ(右側)と３０ｂ(左側)）とが連設して配備されている。
【０００３】
この図４の架空電線路１００’で張架される電線２０としては、鉄塔の引留部位では切断されることがない一本の連続した撚線導体(裸電線)が、複数の鉄塔間を延線された張架されてきたものが用いられている。そして、鉄塔１０を電線の支持部として「径間側電線(電線本線)２０ａ(右側)−ジャンパー線２０ｊ−径間側電線(電線本線)２０ｂ(左側)」のような連続した一線状の構成となるように架線されている。
【０００４】
この４図でのジャンパー線２０ｊは、その両端は引留クランプ（３０ａ(右側)と３０ｂ(左側)）によって把持されており、引留クランプ間の中央部側では所定の弛度またはループ形状となって垂下または吊下するように設定されている。また、４図右側の一方の碍子装置４０ａは、耐張碍子連ａ１、アークホーンａ２、接続用金物(ａ３、ａ４)などの複数の部材が組み合わされて構成されており、左側の碍子装置４０ｂ(左側)についても、右側の碍子装置４０ａとは左右略対称形の構成となっている。
【０００５】
図４のような従来の架空電線路において、鳥による営巣が原因となる地絡事故が発生しており、とりわけ２２〜６６ｋＶ送電線路では多くの事故が発生している。このような地絡事故を防ぐために、従来から種々の鳥害防止装置を設置するなどしているものの、根本的な対策とはなっていない。また、狭線間鉄塔等においては特にジャンパー線と鉄塔との距離が短いために事故が起こりやすく、営巣箇所によっては緊急停電してその撤去を余儀なくされている。
【０００６】
［特許文献１］には、ジャンパー線や懸垂碍子連の支持点近傍における送電線部分が鳥の営巣材により地絡するのを防ぐことを目的として、電線に絶縁シートを重ね巻きすること、電線等と巻回絶縁シートの間に雨水排水用の間隙を形成すること、電線等に取付けた絶縁スペーサのリングの外周に絶縁シートを重ね巻きして電線等と巻回絶縁シートの間に間隙を形成すること、絶縁シートを自己融着性または形状記憶性のプラスチックにより構成することなどによる鳥害防止絶縁装置が記載されている。しかしながら、この公報における鳥害防止絶縁装置では、絶縁テープを施す作業は、架空送電線鉄塔上で行われることになるため、施工能率が悪く、作業者によっては施工のバラツキがあり、その寿命にも差異が生じるという問題点がある。また、この鳥害防止絶縁装置を改修する場合などにおいては、自己融着テープを使用することが多く、後に撤去することが甚だ困難となるという問題点もある。
【０００７】
［特許文献２］には、送電線絶縁吊下部における鳥の営巣材による地絡事故を防止することを目的として、鉄塔に吊下された碍子に、碍子径より大径の絶縁遮蔽板を取付け、また、ジャンパー線の把持吊下部に絶縁被覆を施すとともに懸垂クランプ把持部分にジャンパー線露出部を設け、また、避雷器の課電側ホーンに絶縁体被覆を設け、営巣材の針金等が垂れ下がっても、その下部が碍子下方の課電部に接触するのを防ぎ、地絡事故を防止するとともに、ジャンパー線絶縁被覆のトラッキングの発生を防ぐ鳥害防止絶縁装置が記載されている。しかしながら、ここでの鳥害防止絶縁装置では、吊下された懸垂型の碍子装置に適用されることを主願としており、ジャンパー線を伴って水平方向に張架される耐張型の碍子装置には全く適用できない構造のものであり、吊下された碍子装置以外の他の碍子装置では、その地絡事故を全く防ぐことができない、という問題点がある。
【先行技術文献】
【特許文献】
【０００８】
【特許文献１】実開平０５−７４１３１号公報
【特許文献２】特開平０５−１２９４３号公報
【発明の概要】
【発明が解決しようとする課題】
【０００９】
送電線が張架された鉄塔においては、電線本線からに引留クランプを経由して連続して形成されるジャンパー線と、引留クランプを介して電線本線(径間側電線)を張架する絶縁用の碍子装置とが設けられている。その碍子装置とその周辺部は、カラスなど比較的大型の鳥の営巣場所となりやすく、最近では営巣のための材料である良導電性の材料などが、裸金属導体からなるジャンパー線に接近して、これが原因となって地絡事故を招く恐れが生じているものの、そのような鳥害による地絡事故を完全に防ぐ方策は未だ確立されていない。
【００１０】
本発明は、上述した従来技術の問題点に鑑みなされたものであり、鉄塔周りに張架されたジャンパー線を備える架空電線路において、鳥の営巣に起因して生じる地絡事故を確実に防ぐことのできるジャンパー線の絶縁構造を備えるとともに、そのような絶縁構造を形成するときに、鉄塔上の作業を大変に容易に行うことができ、さらにその絶縁構造に改修が必要な場合にも簡単な作業で取り替えが可能となる架空電線路のジャンパー線交換接続工法を提供することを目的とする。
【課題を解決するための手段】
【００１１】
本発明では上記目的を達成するために、次のようなステップを有する。
（１）電線を架線するための支持物と、耐張用の引留クランプおよび碍子装置を介して、前記支持物間に張架される径間側電線と、前記径間側電線の端部に接続され、前記引留クランプによってその両端部が把持されて、前記支持物の側部に吊架されるよう形成されるジャンパー線と、を備え、前記径間側電線と前記ジャンパー線とは一線状の構成となるように架線された架空電線路のジャンパー線交換接続工法において、
供給電力の停止後、前記支持物の両方の径間側から続く前記ジャンパー線の接続端部を残して前記ジャンパー線を切断除去するステップと、前記接続端部の両端に第１の接続端子部材をそれぞれ取り付けるステップと、絶縁電線の両端に第２の接続端子部材を具備するジャンパー線ユニットの前記第２の接続端子部材を前記第１の接続端子部材にそれぞれ取り付けるステップとを含む、ことを特徴とする架空電線路のジャンパー線交換接続工法。
【００１２】
（２）(１)の架空電線路のジャンパー線交換接続工法において、
請求項１に記載の架空電線路において、
前記ジャンパー線の接続部は、開閉自在型の接続端子部材から構成される、ことを特徴とする架空電線路のジャンパー線交換接続工法。
（３）(２)の架空電線路のジャンパー線交換接続工法において、
前記接続端子部材は、電線圧縮接続部と接続用電接面部とが一体的に構成された接続端子を備えて構成される、ことを特徴とする架空電線路のジャンパー線交換接続工法。
（４）(１)の架空電線路のジャンパー線交換接続工法において、
前記引留クランプは、その内部に電線を挿通させて、この電線の外部から締め付け力を与えて把持する構造を備える、ことを特徴とする架空電線路のジャンパー線交換接続工法。
【発明の効果】
【００１３】
本発明による架空電線路によれば、ジャンパー線の所定の部位においては絶縁電線を用いて構成しているので、鳥の営巣に起因して生じる地絡事故を確実に防ぐことができる。そして、この絶縁電線は製品としての寿命も長くて安定して使用できるものである。また、従来から既設のジャンパー線を絶縁電線に張り替えるにあたっては、施工の能率が大変よく、作業者による施工のばらつきを生じることもない。さらに、ジャンパー線として張られた絶縁電線に改修または取替えが必要となった場合にも、接続部から既設のジャンパー線(絶縁電線)を取り外して、新たにジャンパー線(絶縁電線)を取り付ければよいので、簡単な作業で改修または取替えが可能となる。
【図面の簡単な説明】
【００１４】
【図１】本発明による架空電線路の一実施形態を示す全体の構成図である。
【図２】本発明による図１の架空電線路において、引留クランプとして別のものを用いた一例を示す構成図である。
【図３−１】本発明による図１の架空電線路において、ジャンパー線(絶縁電線)を接続するための接続部の一例として適用可能な圧縮形開閉ジャンパースリーブを示す図である。
【図３−２】本発明による図１の架空電線路において、ジャンパー線(絶縁電線)を接続するための接続部として、圧縮形開閉ジャンパースリーブを適用した例を示す図である。
【図４】従来の架空電線路の一例を示す図である。
【発明を実施するための形態】
【実施例】
【００１５】
さて、本発明による架空電線路の実施の形態について、図１〜３を参照して詳細に説明する。
図１は本発明の一実施形態にかかる架空電線路の構成図であり、図２は図１の架空電線路における引留クランプとして別のタイプのものを用いた例を示す図であり、図３は図１の架空電線路においてジャンパー線(絶縁電線)を接続するための接続部の一例を示す図である。
【００１６】
図１示した本発明による架空電線路１００は、電線を架線するための鉄塔１０と、耐張型の引留クランプ（３０ａ(右側)と３０ｂ(左側)）および碍子装置（４０ａ(右側)と４０ｂ(左側)）を介して、この鉄塔１０間に張架される径間側電線(電線本線)（２０Ａ(右側)と２０Ｂ(左側)）と、この径間側電線に接続され、引留クランプ（３０ａと３０ｂ）によってその両端部が把持されて、鉄塔１０の側部に吊架されて形成されるジャンパー線２０Ｊと、を備えている。
【００１７】
ここでのジャンパー線２０Ｊは、引留クランプ（３０ａと３０ｂ）を挿通されて下方にいたる径間側電線（２０Ａと２０Ｂ）の端部に接続するために、接続部（５０Ａ(右側)と５０Ｂ(左側)）をその両端側に備えている。そして、このジャンパー線２０Ｊの２つの接続部（５０Ａ(右側)−５０Ｂ(左側)）間の電線は、絶縁電線２０Ｚにより構成されている。この絶縁電線２０Ｚは、内部の中心には電気導体(撚り線導体)を有して、その周囲は絶縁被覆に覆われている電線であって、高圧屋外用のポリエチレン電線(ＯＥ)や架橋ポリエチレン電線(ＯＣ)などが適用されるとよい。
【００１８】
図１の架空電線路１００で用いられている引留クランプ（３０ａと３０ｂ）は図４のものと同様であり、ボルト締付け型耐張クランプいわゆる「ＯＢクランプ」と呼ばれているものである。この耐張型の引留クランプは、側面から見ると円弧状（扇形）に湾曲してジャンパー線を導出する形状であり、その内部には電線長手方向の直角断面がＵ字状をなす電線溝を有している。そして、この電線溝に電線を挿通させて配置し、このＵ字状電線溝の開口部側から、ボルト部材などによる締め付け部材３１によって電線に締付力(押圧力)を与えて、この電線を鉄塔に把持する構造を備えている。このようなＯＢクランプを用いると、電線を切断することなく各鉄塔や金車(釣車)を経由して延線して、電線を鉄塔に引き留めることができ、鉄塔上での電線の圧縮作業は必要なく、高所作業の省力化や安全性を向上させる延線工法および緊線工法が実施できるものである。
【００１９】
また、図２の架空電線路１００”で用いられている引留クランプ（３０ｗと３０ｙ）は「楔(くさび)型引留クランプ」と呼ばれる耐張型の引留クランプであって、その内部には電線長手方向の直角断面がＵ字状をなす電線溝を有し、この電線溝に電線を挿通させて配置して、このＵ字状電線溝の鉄塔側の開口部端から、楔(くさび)部材３５を引留クランプ本体３４内部に押し込んで、ここで電線に締付力(押圧力)を与えて、この電線を把持する構造を備えている。この楔型クランプも、図１のＯＢクランプと同様に当業者には周知の引留クランプであって、各鉄塔や金車を経由して延線して、電線を引留クランプの部位で切断することなく、鉄塔に引き留めることができる。
【００２０】
図３−１は、図１の架空電線路１００における接続部（５０Ａ、５０Ｂ）に用いられる部材の一例として、圧縮形開閉ジャンパースリーブ（ＪＳ１、ＪＳ２）を示す図である。図３−１に示したスリーブＪＳ１およびスリーブＪＳ２は共に、中央に接続用の羽子板状接続部(電接面)を有する２つの同じ接続端子部材を組み合わせたものであり、全体としては、中央に偏平な接続用の２部材が配置された概略円筒形状の導電部材である。これらのスリーブＪＳ１とスリーブＪＳ２とは、中央の締め付け部分の大きさや締め付け部材の本数などが異なるものの、基本的な構造は同じである。
【００２１】
ここからは、スリーブＪＳ１について主に述べることとする。このスリーブＪＳ１は、図の左右両側から電線を挿入して圧縮接続するための接続端子部材（５１、６１）と、これらの接続端子部材（５１、６１）の羽子板状接続部の導電面(電接面)同士を接触させて締め付けるための２組の締付けボルト・ナット（７１、７１’）とを備え、これらの締付けボルト・ナットを締め付けた状態と、締付けボルト・ナットを解除した状態の２種類の状態を選択的に用いることができることにより、開閉自在または開閉可能なジャンパー接続部の導電接続構造が形成されている。
【００２２】
図３−１に示すように、スリーブＪＳ１の接続端子部材５１と接続端子部材６１とは、同じ形状の２つの部材から成り、これら２つの部材を点対象に組み合わせて構成されている。図右側の接続端子部材５１は、接続用電接面部５ａと電線圧縮接続部５ｂとが一体的に構成された羽子板状の接続端子部材であって、電線圧縮接続部５ｂには右側から電線をその内部の挿入孔に導入してその外部から六角圧縮等により接続するための圧縮接続部５ｐを備えている。また、図左側の接続端子部材６１は、接続端子部材５１に同じく、接接続用電接面部６ａと電線圧縮接続部６ｂとからなる羽子板状の接続端子部材であって、電線圧縮接続部６ｂ）には左側から電線をその内部の挿入孔に導入してその外部から六角圧縮等により接続するための圧縮接続部６ｐを備えている。
【００２３】
ここでスリーブＪＳ１は、２つの接続端子部材（５１、６１）の接続用電接面部（５ａ、６ａ）に、２つの面同士を面合わせして締め付けて確実な電気的導通を得るための平面状の電接面（ｍ５、ｍ６）を備えている。そして、締付けボルト・ナット（７１、７１’)は、これらの２つの接続端子部材（５１、６１）の内部を貫通して、これらの内側に設定された平坦な電接面(ｍ５とｍ６)同士を面合わせして締め付けて接続させる部材であり、これら２つの接続端子部材（５１、６１）の電気的接続を確実に得ることができる。このように、このスリーブＪＳ１では、締付けボルト・ナット（７１、７１’)による締め付けた状態とそれらを取り外した状態とを自在に設定することができるので、２つの接続端子部材（５１、６１）の接続に関して、開閉自在または開閉可能な導電接続構造とすることができる。
【００２４】
図３−２は、図１の架空電線路１００における接続部（５０Ａ、５０Ｂ）の一例を示す図であり、このジャンパー線２０Ｊの図１の右側に設けられた接続部５０Ａを拡大して示す外観斜視図である。接続部５０Ａには、図３−１の圧縮形開閉ジャンパースリーブＪＳ１が適用され、開閉自在または開閉可能にして接続させるための２つの接続端子部材（５１、６１）と、これら部材を面接触させて締め付けるための締付けボルト・ナット（７１、７１’）とを備えている。これらの締付けボルト・ナット（７１、７１’)は、これらの２つの接続端子部材（５１、６１）の内部を貫通して、これらの内側にある平坦な電接面(ｍ５とｍ６)同士を面合わせして締め付けて、２つの接続端子部材（５１、６１）の電気的に接続を確実に得ることができる。
【００２５】
図３−２の上方に示された端子部材５１は、径間側電線(電線本線)に接続する部材である。この端子部材５１は、接続用電接面部５ａと電線圧縮接続部５ｂとが一体的に構成された羽子板状の接続端子であって、電線圧縮接続部５ｂには径間側電線２０Ａの端部２０Ａ’をその内部の挿入孔に導入して、その外部から六角圧縮等により接続するための圧縮接続部５ｐを備える。また、接続用電接面部５ａには、２つの面を面合わせして締め付けて確実な電気的導通を得るための平面状の電接面ｍ５を備える。
【００２６】
また、図３−２の下方に示された端子部材６１は、先の端子部材５１と同様な形状および構造からなり、ジャンパー(絶縁電線)に圧縮接続手段などによって接続される部材である。この端子部材６１は、接続用電接面部６ａと電線圧縮接続部６ｂとが一体的に構成された羽子板状の接続端子である。電線圧縮接続部６ｂには圧縮接続部６ｐを備え、接続用電接面部６ａには、２つの面を面合わせして締め付けて電気的導通を得るための平面な電接面ｍ６を備える。
【００２７】
端子部材６１は、絶縁電線からなるジャンパー線に接続するための部材であるが、ここでは、ジャンパー線となる絶縁電線２０Ｚの上方の端部側にある絶縁被覆層Ｚを除去して接続のための導体ｄを露出させておき、この導体ｄを端子部材６１の圧縮接続部６ｐの内部挿入孔に導入して、外部(周囲)から六角圧縮用ダイス等を用いて圧縮接続部６ｐの外周を圧縮接続し、絶縁電線２０Ｚの導体ｄを端子部材６１に一体的に接続させ、電気的導通を得ている。
【００２８】
このように、本発明の架空電線路１００では、ジャンパー線２０Ｊの接続部（５０Ａ、５０Ｂ）の間には絶縁電線２０Ｚが適用されており、この絶縁電線２０Ｚとしては、ポリエチレン絶縁電線(ＯＥ)または架橋ポリエチレン絶縁電線(ＯＣ)が用いられるとよく、そのときの絶縁層はそれぞれ耐候性ＰＥ、耐候性ＸＬＰＥから構成されているとよい。また、鉄塔に張架される電線は、通常はＡＣＳＲ(鋼心アルミ撚り線)であって、中心層は鋼心線(Ｓｔ、スティール)の単一線または撚り線であって、その外周はアルミ撚り線の層となっているので、これに接続されるジャンパー線の線種としては、外部は絶縁被覆層に覆われたＡＣＳＲ電線を用いるとよい。
【００２９】
ここで、ジャンパー線として適用できる絶縁電線の例をあげると、次のとおりである。
・送電線の電圧「１１万ボルト〜２万２千ボルト」
種類：ＡＣＳＲ−ＯＥ、またはＡＣＳＲ−ＯＣ
サイズ：１２０mm２ 〜２５mm２
ＡＣＳＲ：鋼心（1本/4.2〜2.3のＳｔ）、アルミ（６本/ＡｌのＳＢ）
撚り外径：１３.６ｍｍ〜６.３ｍｍ
絶縁層(被覆層)の厚さ：２.５ｍｍ〜２.０ｍｍ
仕上がり外径：１９.６ｍｍ〜１０.５ｍｍ
質量：５５０ｋｇ／ｋｍ〜１５０ｍｍ
また、送電線の高電圧の「２.２万ボルト〜３.３万ボルト」である場合には、絶縁電線（ＡＣＳＲ−ＯＥ、またはＡＣＳＲ−ＯＣ）については、断面積(サイズ)は「１２０mm２〜２００mm２」として、絶縁層の厚さは「３ｍｍ〜５ｍｍ」のものが適用されるとよい。
【００３０】
さて、図１、図２、図４を用いて、既設の架空電線路に本発明を適用する場合について説明する。
図４に示す線路は、電線が既に架線されていて、ジャンパー線２０ｊが形成されている既設の架空電線路１００’である。本発明をこの既設線路に適用する場合には、架空電線路１００’の電力供給を停止させた停電状態として、鉄塔上での塔上作業において、ジャンパー線の切断および接続作業を含む本発明によるジャンパー線構造の形成作業を行う。
【００３１】
図１の右側の接続部５０Ａとしては、図３−１または図３−２に示すような圧縮形開閉ジャンパースリーブＪＳ１またはＪＳ２が適用される。ここでは、第一の接続端子部材５１、第二の接続端子部材６１、締結部材(７１、７１’)の各部材を準備しておくが、第二の接続端子部材６１と絶縁電線２０Ｚとについては、地上で圧縮接続させて一体化しておく。また、左側の接続部５０Ｂについても同様であり、図１に示すように、第一の接続端子部材５２、第二の接続端子部材６２、締結部材(７２、７２’)の各部材を準備しておいて、第二の接続端子部材６２と絶縁電線２０Ｚとは地上で圧縮接続させ一体化しておく。この結果、絶縁電線２０Ｚは、両端部に接続端子部材６１と接続端子部材６２と備える一つのユニットとして形成される。
【００３２】
このように地上では、「接続端子部材６１＋絶縁電線２０Ｚ＋接続端子部材６２」のユニット、第一の接続端子部材５１(右側)と第二の接続端子部材５２(左側)、締結部材７１(右側)と締結部材７２(左側)の各構成部材が、あらかじめ準備されており、架空電線路１００の電力供給を停止させた状態にして、これらの部材を鉄塔上に持ち上げておき、裸電線(ＡＣＳＲ)であるジャンパー線を、絶縁層がある絶縁電線へ張り替える工事が行われる。
【００３３】
塔上での作業者は、図４の架空電線路１００’のジャンパー線２０ｊの両端側の位置（ｓ１とｓ２）において、径間側から続く電線本線の接続端部（ｊ１、ｊ２）を残して、ジャンパー線２０ｊの大部分を切断して除去する。
そして、電線の接続端部ｊ１には第一の接続端子部材５１(右側)が圧縮接続されて取り付けられ、また、電線の接続端部ｊ２には第二の接続端子部材５２(左側)がやはり圧縮接続されて取り付けられる。
【００３４】
それから、「接続端子部材６１＋絶縁電線２０Ｚ＋接続端子部材６２」のユニットのうちの接続端子部材６１を、締付けボルト・ナット７１(右側)を用いて第一の接続端子部材５１(右側)に面接触させて締め付けて取り付け、これら両者を電気的に接続させる。また同様に、「接続端子部材６１＋絶縁電線２０Ｚ＋接続端子部材６２」のユニットのうちの接続端子部材６２を、締付けボルト・ナット７２(左側)を用いて第二の接続端子部材５２(左側)に面接触させて締め付けて取り付け、これら両者を電気的に接続させる。
【００３５】
このようにして、図１に示すように「径間側電線(電線本線)２０Ａ−引留クランプ３０ａ内電線−接続部５０Ａ−絶縁電線２０Ｚ−接続部５０Ｂ−径間側電線(電線本線)２０Ｂ」とする絶縁電線によるジャンパー線を含む架空電線路１００の接続構造は、完成する。図４に示された従来の架空電線路１００’の裸線からなるジャンパー線２０ｊは、図１に示すように、両端部側に電線本線(２０Ａと２０Ｂ)との接続部(５０Ａと５０Ｂ)を備える絶縁電線２０Ｚからなるジャンパー線２０Ｊに張り替えられる。
【００３６】
本発明による架空電線路におけるジャンパー線構造を形成するには、停電工事にして鉄塔の既設のジャンパー線を切断し、その切断された電線の端部に接続部(５０Ａ、５０Ｂ)を圧縮接続し、その後に絶縁電線のユニットの両端を締め付け部材で取り付けるものである。よって、既設のジャンパー線を本発明のものに張り替えるにあたっての施工や作業の能率は大変よく、容易に実施することができ、作業者による施工のばらつきを生じることもない。さらに、ジャンパー線として張られた絶縁電線に対して、年月を経て改修または取替えが必要となった場合にも、接続部からジャンパー線を取り外して、新たなジャンパー線を取り付ければよいので、簡単な作業で改修または取替えが可能となる。
【符号の説明】
【００３７】
１００、１００’、１００”      架空電線路
１０      鉄塔
２０Ａ、２０Ｂ      径間側電線 (電線本線)
２０Ｊ      ジャンパー線
３０ａ、３０ｂ      耐張型の引留クランプ（ＯＢクランプ）
３１      ボルト締付け型耐張クランプ（ＯＢクランプ）の締め付け部材
３０ｗ、３０ｙ      楔(くさび)型引留クランプ
３４      クランプ本体
３５      楔(くさび)部材
４０ａ、４０ｂ      耐張型の碍子装置
５０Ａ、５０Ｂ      接続部
ＪＳ１、ＪＳ２      圧縮形開閉ジャンパースリーブ
５１、６１      接続端子部材
５ａ      端子部材５１の接続用電接面部
５ｂ      端子部材５１の電線圧縮接続部
５ｐ      端子部材５１の圧縮接続部
６ａ      端子部材６１の接続用電接面部
６ｂ      端子部材６１の電線圧縮接続部
６ｐ      端子部材６１の圧縮接続部
７１、７１’      締付けボルト・ナット(締結部材)
ｍ５、ｍ６      電接面
２０Ａ’      径間側電線２０Ａの端部
２０Ｚ      絶縁電線
Ｚ      絶縁被覆層
ｄ      導体
ｓ１とｓ２      ジャンパー線の切断位置
ｊ１、ｊ２      電線の接続端部
【図１】
2010063357.tif 000003
【図２】
2010063357.tif 000004
【図３−１】
2010063357.tif 000005
【図３−２】
2010063357.tif 000006
【図４】
2010063357.tif 000007